【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  ディスクカートリッジにおいて、
上シェル、中シェル及び下シェルを重ね合わせることによって上シェル及び中シェル間又は中シェル及び下シェル間にディスク収納室が形成され、上記中シェルが上記上シェル及び上記下シェルの少なくとも一方によって回転自在に支持されると共に、上記上シェル及び上記下シェルの少なくとも一方又は上記上シェル及び上記下シェルの少なくとも一方と上記中シェルとに開口部が設けられたカートリッジ筐体と、
上記カートリッジ筐体に設けられ、上記中シェルの回転に応じて上記開口部を開く開位置と当該開口部を閉じる閉位置との間に移動可能とされたシャッタ部材と、
上記シャッタ部材を上記閉位置において閉じた状態に保持するシャッタ固定手段と、を備え、
上記シャッタ固定手段により上記開位置において上記シャッタ部材を開いた状態に保持するようにした
ことを特徴とするディスクカートリッジ。
【請求項２】  上記シャッタ固定手段は、上記上シェル及び上記下シェルの少なくとも一方に回動自在に支持されると共に、上記開位置及び上記閉位置の両位置において上記中シェルに係合して当該中シェルをロックするロック部材である
ことを特徴とする請求項１記載のディスクカートリッジ。
【請求項３】  上記ロック部材は、上記中シェルに着脱可能に係合されるロック爪と、上記ロック爪を上記中シェル側に付勢する弾性片と、外力の作用により上記弾性片のバネ力に抗して上記ロック爪による上記中シェルのロックを解除する入力部と、を有する
ことを特徴とする請求項１記載のディスクカートリッジ。
【請求項４】  上記ロック部材の上記入力部の上記外力が作用する方向の長さは、上記中シェルを回転させるため当該中シェルに設けられたギア部の歯先間距離よりも長く設定した
ことを特徴とする請求項１記載のディスクカートリッジ。
【請求項５】  上記中シェルは、上記開位置及び上記閉位置の両位置においてロック爪にそれぞれ係合される第１の係合部及び第２の係合部を有する
ことを特徴とする請求項１記載のディスクカートリッジ。
【請求項６】  上記シャッタ部材は、略半円形とされた２枚の板体からなり、当該２枚で一対のシャッタ部材が上記開口部を有する上記中シェル、上記上シェル及び上記下シェルの少なくとも一面側に当該開口部を挟んで対向するように配置されている
ことを特徴とする請求項１記載のディスクカートリッジ。
【請求項７】  上記一対のシャッタ部材は、上記上シェル及び上記下シェルの少なくとも一方に対して、それぞれのシャッタ部材に対応する支点を中心として回動自在に支持されている
ことを特徴とする請求項６記載のディスクカートリッジ。
【請求項８】  上記一対のシャッタ部材は、上記中シェルに対して、それぞれのシャッタ部材に対応する支点を中心として回動自在に支持されていると共に、上記上シェル及び上記下シェルの少なくとも一方に対して、それぞれのシャッタ部材に対応する支点によって摺動自在に支持されている
ことを特徴とする請求項６記載のディスクカートリッジ。
【請求項９】  ディスクカートリッジにおいて、
上シェル及び下シェルを重ね合わせることによって内部にディスク収納室が形成され、上記上シェル及び上記下シェルの少なくとも一方に開口部が設けられたカートリッジ筐体と、
上記カートリッジ筐体に設けられ、上記開口部を開く開位置と当該開口部を閉じる閉位置との間に移動可能とされたシャッタ部材と、
上記シャッタ部材を上記閉位置において閉じた状態に保持するシャッタ固定手段と、を備え、
上記シャッタ固定手段により上記開位置において上記シャッタ部材を開いた状態に保持するようにした
ことを特徴とするディスクカートリッジ。
【請求項１０】  ディスク記録媒体装置において、
上シェル、中シェル及び下シェルを重ね合わせることによって上シェル及び中シェル間又は中シェル及び下シェル間にディスク収納室が形成され、上記中シェルが上記上シェル及び上記下シェルの少なくとも一方によって回転自在に支持されると共に、上記上シェル及び上記下シェルの少なくとも一方又は上記上シェル及び上記下シェルの少なくとも一方と上記中シェルとに開口部が設けられたカートリッジ筐体と、
上記ディスク収納室内に回転自在に収納されたディスク状記録媒体と、
上記カートリッジ筐体に設けられ、上記中シェルの回転に応じて上記開口部を開く開位置と当該開口部を閉じる閉位置との間に移動可能とされたシャッタ部材と、
上記シャッタ部材を上記閉位置において閉じた状態に保持するシャッタ固定手段と、を備え、
上記シャッタ固定手段により上記開位置において上記シャッタ部材を開いた状態に保持するようにした
ことを特徴とするディスク記録媒体装置。
【請求項１１】  上記シャッタ固定手段は、上記上シェル及び上記下シェルの少なくとも一方に回動自在に支持されると共に、上記開位置及び上記閉位置の両位置において上記中シェルに係合して当該中シェルをロックするロック部材である
ことを特徴とする請求項１０記載のディスク記録媒体装置。
【請求項１２】  上記ロック部材は、上記中シェルに着脱可能に係合されるロック爪と、上記ロック爪を上記中シェル側に付勢する弾性片と、外力の作用により上記弾性片のバネ力に抗して上記ロック爪による上記中シェルのロックを解除する入力部と、を有する
ことを特徴とする請求項１１記載のディスク記録媒体装置。
【請求項１３】  上記ロック部材の上記入力部の上記外力が作用する方向の長さは、上記中シェルを回転させるため当該中シェルに設けられたギア部の歯先間距離よりも長く設定した
ことを特徴とする請求項１２記載のディスク記録媒体装置。
【請求項１４】  上記中シェルは、上記開位置及び上記閉位置の両位置においてロック爪にそれぞれ係合される第１の係合部及び第２の係合部を有する
ことを特徴とする請求項１０記載のディスク記録媒体装置。
【請求項１５】  上記シャッタ部材は、略半円形とされた２枚の板体からなり、当該２枚で一対のシャッタ部材が上記開口部を有する上記中シェル、上記上シェル及び上記下シェルの少なくとも一面側に当該開口部を挟んで対向するように配置されている
ことを特徴とする請求項１０記載のディスク記録媒体装置。
【請求項１６】  上記一対のシャッタ部材は、上記上シェル及び上記下シェルの少なくとも一方に対して、それぞれのシャッタ部材に対応する支点を中心として回動自在に支持されている
ことを特徴とする請求項１５記載のディスク記録媒体装置。
【請求項１７】  上記一対のシャッタ部材は、上記中シェルに対して、それぞれのシャッタ部材に対応する支点を中心として回動自在に支持されていると共に、上記上シェル及び上記下シェルの少なくとも一方に対して、それぞれのシャッタ部材に対応する支点によって摺動自在に支持されている
ことを特徴とする請求項１５記載のディスク記録媒体装置。
【請求項１８】  ディスク記録媒体装置において、
上シェル及び下シェルを重ね合わせることによって内部にディスク収納室が形成され、上記上シェル及び上記下シェルの少なくとも一方に開口部が設けられたカートリッジ筐体と、
上記ディスク収納室内に回転自在に収納されたディスク状記録媒体と、
上記カートリッジ筐体に設けられ、上記開口部を開く開位置と当該開口部を閉じる閉位置との間に移動可能とされたシャッタ部材と、
上記シャッタ部材を上記閉位置において閉じた状態に保持するシャッタ固定手段と、を備え、
上記シャッタ固定手段により上記開位置において上記シャッタ部材を開いた状態に保持するようにした
ことを特徴とするディスク記録媒体装置。
【請求項１９】  ディスク記録再生装置において、
カートリッジ筐体に形成されたディスク収納室内にディスク状記録媒体が回転自在に収納され、当該ディスク状記録媒体の一部を露出させるための上記カートリッジ筐体に設けた開口部を開く開位置と当該開口部を閉じる閉位置との間に移動可能とされたシャッタ部材と、上記シャッタ部材を上記閉位置において閉じた状態に保持するシャッタ固定手段とを設けたディスク記録媒体装置と、
上記ディスク記録媒体装置の挿脱動作に応じて上記シャッタ部材を移動させて上記開口部を開閉させるシャッタ開閉手段と、
上記ディスク記録媒体装置が着脱可能に装着されると共に、当該ディスク記録媒体装置の装着時、上記シャッタ開閉手段で開放された上記開口部から挿入されて上記ディスク状記録媒体をチャッキングして回転駆動するディスクドライブ装置と、を備え、
上記カートリッジ筐体に設けられ、上記中シェルの回転に応じて上記開口部を開く開位置と当該開口部を閉じる閉位置との間に移動可能とされたシャッタ部材と、
上記シャッタ部材を上記閉位置において閉じた状態に保持するシャッタ固定手段と、を備え、
上記カートリッジ筐体は、上シェル及び下シェルを重ね合わせ又は上シェル、中シェル及び下シェルを重ね合わせることによって構成されると共に、上シェル及び下シェル間又は上シェル及び中シェル間若しくは中シェル及び下シェル間に上記ディスク収納室が形成され、
上記シャッタ固定手段により上記開位置において上記シャッタ部材を開いた状態に保持するようにした
ことを特徴とするディスク記録再生装置。
【請求項２０】  上記シャッタ固定手段は、上記上シェル及び上記下シェルの少なくとも一方に回動自在に支持されると共に、上記開位置及び上記閉位置の両位置において上記中シェルに係合して当該中シェルをロックするロック部材である
ことを特徴とする請求項１９記載のディスク記録再生装置。
【請求項２１】  上記ロック部材は、上記中シェルに着脱可能に係合されるロック爪と、上記ロック爪を上記中シェル側に付勢する弾性片と、外力の作用により上記弾性片のバネ力に抗して上記ロック爪による上記中シェルのロックを解除する入力部と、を有する
ことを特徴とする請求項２０記載のディスク記録再生装置。
【請求項２２】  上記ロック部材の上記入力部の上記外力が作用する方向の長さは、上記中シェルを回転させるため当該中シェルに設けられたギア部の歯先間距離よりも長く設定した
ことを特徴とする請求項２１記載のディスク記録再生装置。
【請求項２３】  上記中シェルは、上記開位置及び上記閉位置の両位置においてロック爪にそれぞれ係合される第１の係合部及び第２の係合部を有する
ことを特徴とする請求項１９記載のディスク記録再生装置。
【請求項２４】  上記シャッタ部材は、略半円形とされた２枚の板体からなり、当該２枚で一対のシャッタ部材が上記開口部を有する上記中シェル、上記上シェル及び上記下シェルの少なくとも一面側に当該開口部を挟んで対向するように配置されている
ことを特徴とする請求項１９記載のディスク記録再生装置。
【請求項２５】  上記一対のシャッタ部材は、上記上シェル及び上記下シェルの少なくとも一方に対して、それぞれのシャッタ部材に対応する支点を中心として回動自在に支持されている
ことを特徴とする請求項２４記載のディスク記録再生装置。
【請求項２６】  上記一対のシャッタ部材は、上記中シェルに対して、それぞれのシャッタ部材に対応する支点を中心として回動自在に支持されていると共に、上記上シェル及び上記下シェルの少なくとも一方に対して、それぞれのシャッタ部材に対応する支点によって摺動自在に支持されている
ことを特徴とする請求項２４記載のディスク記録再生装置。
【請求項２７】  上記シャッタ開閉手段はラック部と当該ラック部の前後に配置された凸部とを有し、上記中シェルは上記ラック部に噛合されるギア部と当該ギア部の前後に配置された凹部とを有し、上記シャッタ開閉手段の進退運動に基づいて上記中シェルに回転運動を付与するようにした
ことを特徴とする請求項１９記載のディスク記録再生装置。